(57)【要約】      （修正有）【課題】上下逆に取り付けても、全く支障なく使用することができるゴルフボールホルダーを提供する。【解決手段】少なくとも２個のゴルフボールを収納可能であり、開閉フラップ付きの挿入口を一端に有し、かつ他端に、ゴルフボールを受け止める受け止め部と、内方のゴルフボールを押し出すために指を差し入れる押し出し口を有するゴルフボールホルダーにおいて、ホルダー本体に他端側で固着され、一端側で着脱可能に留められる、取り付け片２０を設けるとともに、ホルダー本体を上下両用可能にするために、上記取り付け片の着脱部２２、２３を、開閉フラップ１３の部分に配置し、グリーンフォークの保持部２４をホルダー本体の側面に設け、そのグリーンフォークの保持部には、差し込み口２５、２５′を上下に、またストッパー２６を中間位置に設ける。【選択図】図１
0003119536.tif 000002
【実用新案登録請求の範囲】
【請求項１】
少なくとも２個のゴルフボールを収納可能であり、ゴルフボールを挿入する、開閉フラップ付きの挿入口を一端に有し、かつ他端に、ゴルフボールを受け止める受け止め部と、内方のゴルフボールを押し出すために指を差し入れる押し出し口を有するゴルフボールホルダーであって、
ホルダー本体をベルト類に取り付ける手段として、ホルダー本体に他端側で固着され、一端側で着脱可能に留められる、取り付け片を設けるとともに、ホルダー本体を上下両用可能にするために、上記取り付け片の着脱部を、開閉フラップの部分に配置し、
グリーンフォークの保持部をホルダー本体の側面に設け、そのグリーンフォークの保持部には、差し込み口を上下に、またストッパーを中間位置に設け、さらにリフトティの保持部をホルダー本体の側面に設け、そのリフトティの保持部にはゴルフボール受けと係合する凹部をリフトティの保持部の上下に設けた構成を有する
ゴルフボールホルダー。
【請求項２】
ホルダー本体は、マーカーの取り付け部として、磁気吸着部か、或いは磁気吸着部を取り付けるためのスリットを有している請求項１記載のゴルフボールホルダー。
【請求項３】
ホルダー本体は、縦長の形状を有し、上部に開閉フラップが位置し、かつその開閉フラップに取り付け片の着脱部が位置している請求項１記載のゴルフボールホルダー。
【考案の詳細な説明】
【技術分野】
【０００１】
本考案は、少なくとも２個のゴルフボールを収納可能であり、ゴルフボールを挿入する、開閉フラップ付きの挿入口を一端に有し、かつ他端に、ゴルフボールを受け止める受け止め部と、内方のゴルフボールを押し出すために指を差し入れる押し出し口を有するゴルフボールホルダーに関するものである。
【背景技術】
【０００２】
ゴルフボールホルダーは、ゴルフ競技のプレイヤーが身に着けて使用するもので、ゴルフボールを複数個収納可能であり、またそれだけではなく、例えば、リフトティやグリーンフォーク、マーカーなども取り付けられるようになっているものが多い。この種のホルダーは、皮革など厚手のシート状材料を用いて、縦長或いは横長に形成され、ズボンのベルトなどに取り付けて使用される。
【０００３】
複数個のゴルフボールを収納するだけでなく、ボールを挿入口などから取り出しやすくする構造のものや、より内方のボールを取り出せる構造のものなど、さまざまな工夫がなされている。例えば、実開平６−５６５６号のものは、二個のゴルフボールを上下に重ねて収納するホルダー本体を、上下端が開放する筒状に形成し、この上下端の開口を各々蓋により開閉自在とした構成を有している。
【０００４】
この種のものは、急いでゴルフボールを取り出しやすいことが望ましく、また、着脱の際に上下を間違えても取り付けることが可能なことが望ましい。上記の考案の場合、その目的にかなっている。しかし、同考案のものは、上下逆に取り付けると、装着具がベルトなどから簡単に外れてしまう恐れがある。また、同考案のものは、ティ保持部が下向きのため、上下逆に取り付けるとティが抜け落ちてしまうことになる。
【０００５】
【特許文献１】実開平６−５６５６号
【特許文献２】実開平６−８３０５５号
【考案の開示】
【考案が解決しようとする課題】
【０００６】
本考案は以上の点に着目して成されたもので、その課題は、上下逆に取り付けても、全く支障なく使用することができるゴルフボールホルダーを提供することである。また、本考案の他の課題は、安心して使用でき、かつプレイに専念できるゴルフボールホルダーを提供することである。
【課題を解決するための手段】
【０００７】
前記の課題を解決するため本考案は、少なくとも２個のゴルフボールを収納可能であり、ゴルフボールを挿入する、開閉フラップ付きの挿入口を一端に有し、かつ他端に、ゴルフボールを受け止める受け止め部と、内方のゴルフボールを押し出すために指を差し入れる押し出し口を有するゴルフボールホルダーについて、
ホルダー本体をベルト類に取り付ける手段として、ホルダー本体に他端側で固着され、一端側で着脱可能に留められる、取り付け片を設けるとともに、ホルダー本体を上下両用可能にするために、上記取り付け片の着脱部を、開閉フラップの部分に配置し、
グリーンフォークの保持部をホルダー本体の左右どちらか一方の側面に設け、そのグリーンフォークの保持部には、差し込み口を上下に、またストッパーを中間位置に設け、さらにリフトティの保持部をホルダー本体の左右どちらか他方の側面に設け、そのリフトティの保持部にはゴルフボール受けと係合する凹部をリフトティの保持部の上下に設けるものとするとｃいう手段を講じたものである。
【０００８】
本考案のゴルフボールホルダーも、皮革や、プラスチックなど厚手のシート状材料を用いて、中空な構造に形成することができる。その中空な構造体であるホルダー本体の一端に挿入口があり、この挿入口はゴルフボールを１個ずつ挿入することができる大きさを有する。ホルダー本体は、中空な構造を有する容器状であり、その内方は、ゴルフボールを受け止めるための部分になっている。縦長に使用するホルダー本体の場合、受け止め部分は底になるから、抜け落ちる心配はない。
【０００９】
本考案のゴルフボールホルダーは、上下両用可能つまり上下逆に取り付けても、全く支障なく使用できることを目的とするものであり、言い換えれば上下の区別がないともいって良いが、便宜上、ホルダー本体の一端の挿入口の方を上とする。この場合、ホルダー本体をベルト類に取り付ける手段として、取り付け片を、ホルダー本体に他端側で固着し、一端側で着脱可能に留めるとともに、上記取り付け片の着脱部を、開閉フラップの部分に配置する。
【００１０】
ホルダー本体の開閉フラップに、取り付け片の着脱部が設けてあるために、開閉フラップを開閉操作しても、ホルダー本体は取り付け片によってベルトに取り付けられた状態を保ち、脱落してしまうことはない。このことは、ホルダー本体を上下逆にベルトに取り付けた場合でも、全く同様である。
【００１１】
本考案のゴルフボールホルダーは、グリーンフォークの保持部を、例えばホルダー本体の左右どちらか一方の側面に設け、そのグリーンフォークの保持部には、差し込み口を上下に、またストッパーを中間位置に夫々設け、さらにリフトティの保持部を、例えばホルダー本体の左右どちらか他方の側面に設け、そのリフトティの保持部にはゴルフボール受けと係合する凹部をリフトティの保持部の上下に設けることができる。これらの構成は、単に上下両用可能のためだけではなく、ゴルフボールホルダーの装着位置を右から左に変えた場合でも、上下を逆にすると、グリーンフォークの保持部とリフトティの保持部の位置を変えずに済む、という利点にもつながる。
【００１２】
ホルダー本体は、マーカーの取り付け部として、磁気吸着部か、或いは磁気吸着部を取り付けるためのスリットを有していることが望ましい。マーカーの取り付け部としては、
従来は、ピン穴のみを設けていたが、上記のようにすることにより、磁石式のマーカーに対応することができるものである。
【考案の効果】
【００１３】
本考案は上記のように構成されかつ作用するものであるから、ホルダー本体の両端のどちらを上下として使用しても、ゴルフボールの出し入れや、グリーンフォーク、リフトティ、マーカーなどを取り落としたりすることなく、全く同様に取り扱うことができる。従って、本考案によれば、プレイ中に急いで手探りするような場合でも、ゴルフボールの出し入れや、グリーンフォーク、リフトティ、マーカーなど的確に取り出せるので、安心してプレイに専念できるという効果を奏する。
【考案を実施するための最良の形態】
【００１４】
以下図示の実施形態を参照して、本考案のゴルフボールホルダー１０をより詳細に説明する。図示のものは、ゴルフボールＧを２個収納可能な、縦長の形状を有するホルダー本体１２から成る、ゴルフボールホルダー１０の例であり、ゴルフボールの収納のために、開閉フラップ１３付きの挿入口１４を一端側１１に有し、かつ他端側１９に、ゴルフボールＧを受け止める受け止め部１５と、内方のゴルフボールＧを押し出すために指を差し入れる押し出し口１６を有している。
【００１５】
ホルダー本体１２は、厚手の皮革を材料として、打ち抜いたブランクを折り曲げることにより、縦長の中空な直方体状に形成されている。ゴルフボールＧを受け止める受け止め部１５は、ホルダー本体１２の他端側１９の位置に当たり、押し出し口１６はホルダー本体１２の正面中央部から底面にまで達するほぼＬ字状に形成されており、正面側は大きく、底面側で小さく開口している。
【００１６】
ホルダー本体１２の挿入口１４を開閉する開閉フラップ１３は、ホルダー本体１２の背面を形成している部分から上方に伸び、かつ前方さらに下方へ曲げられて、ホルダー本体１２の挿入口１４を被い、正面の上部に達する長さに形成されている。開閉フラップ１３の先端部と、ホルダー本体１２の正面の上部には、ホックで示された着脱部１７、１８が取り付けられている。
【００１７】
ホルダー本体１２には、ホルダー本体１２をベルトＢに取り付ける手段として、取り付け片２０が設けられている。取り付け片２０は、ホルダー本体１２の他端側１９に固着され、ホルダー本体１２の一端側１１に、着脱部２２、２３により着脱可能に留められている。上記取り付け片２０の着脱部２２の相手着脱部２３を開閉フラップ１３の部分に配置し、開閉フラップ１３を開閉操作しても、ホルダー本体１２は取り付け片２０によってベルトＢに取り付けられた状態を保つことができる。着脱部２２、２３は、前記と同様のホックである。
【００１８】
さらに、ホルダー本体１２には、グリーンフォークＦの保持部２４をホルダー本体１２の左右どちらか一方の側面に設け、そのグリーンフォークＦの保持部２４には、差し込み口２５、２５′を上下に、またストッパー２６を中間位置に設けている。また、リフトティＬの保持部２７をホルダー本体１２の左右どちらか他方の側面に設け、そのリフトティＬの保持部２７には、リフトティＬのゴルフボール受けと係合する凹部２８、２８′をリフトティＬの保持部２７の上下に設けている。
【００１９】
また、ホルダー本体１２は、マーカーＭの取り付け部として、磁気吸着部３１か、或いは別体の磁気吸着部３１′を取り付けるためのスリット３２を二筋有している。例示の磁気吸着部３１′はフック状の係止片３３を有し（図４）、スリット３２に差し込んで取り付けられる。また、磁気吸着式ではないマーカーＭを取り付けるために、そのピンの差し込み穴３４をホルダー本体１２の底部に設けている。
【００２０】
このような構成を有する本考案のゴルフボールホルダー１０は、例えば挿入口１４を上にした正立状態で、着脱部２２、２３を外し、取り付け片２０をベルトＢに通して、ホルダー本体１２を取り付ける。そして、グリーンフォークＦは上の差し込み口２５から、また、リフトティＬは保持部２７に上から、夫々取り付け、また、マーカーＭも、適当な箇所に取り付ける。よって、ゴルフボールＧをはじめとする必要な物品を取り出し、使用することができる。
【００２１】
一方、上記正立状態から上下が逆になった倒立状態では、図３に示すようになる。倒立状態でも、ホルダー本体１２は取り付け片２０によって、正立状態と全く変わりなくベルトＢに通して取り付けることができることは、図示のとおりである。この場合、グリーンフォークＦは図１では下の差し込み口２５′から、また、リフトティＬは保持部２７に同じく下の口から、夫々取り付け、また、マーカーＭは、底部の差込穴３４に取り付けることができる。
【００２２】
このように、本考案によれば、上下逆に取り付けても、全く支障なく使用することができることが分かる。しかも、上下どちらの場合でも、取り付け片２０の先端が開閉フラップ１３の上面で止まっているため着脱部２２が外れにくい（図５）。また、グリーンフォークＦは、ストッパー２６に係合しており、マーカーＭは、磁気により、或いは差し込み式に取り付けられ、ともに非常に簡単に、しかも確実に取り付け、かつ取り外すことができる。
【図面の簡単な説明】
【００２３】
【図１】本考案に係るゴルフボールホルダーの１例を示す正面側の斜視図。
【図２】図１のものの裏面側の斜視図。
【図３】同じく図１のものを上下逆にした状態を示す斜視図。
【図４】同じく図１のものの縦断面図。
【図５】リフトティをその保持部に挿した状態を示す断面図。
【符号の説明】
【００２４】
１０  ゴルフボールホルダー
１１  一端側
１２  ホルダー本体
１３  開閉フラップ
１４  挿入口
１５  受け止め部
１６  押し出し口
１７、１８  着脱部
１９  他端側
２０  取り付け片
２２、２３  着脱部
２４  グリーンフォークの保持部
２５、２５′  差し込み口
２６  ストッパー
２７  リフトティの保持部
２８、２８′  凹部
３１、３１′  磁気吸着部
３２  スリット
３３  係止片
Ｂ  ベルト
Ｆ  グリーンフォーク
Ｇ  ゴルフボール
Ｌ  リフトティ
Ｍ  マーカー
【図１】
0003119536.tif 000003
【図２】
0003119536.tif 000004
【図３】
0003119536.tif 000005
【図４】
0003119536.tif 000006
【図５】
0003119536.tif 000007